(57)【要約】【課題】取り付けが容易で、取り付けが安定しているレンズ部材の取付構造を提供する。【解決手段】機器ケーシング４の開口部４ｂに取り付けられるレンズ部材５は、開口部４ｂに嵌合される嵌合部５Ａと、嵌合部５Ａに光を導光する導光部５Ｂとを備える。機器ケーシング４には、開口部４ｂに挟んで開口部４ｂの両側にレンズ部材５の嵌合部５Ａを係止可能である係止爪６ａを有する１対の係止片部６が設けられ、各係止片部６とケーシング内壁面との間に１対の規制片部７が設けられている。１対の規制片部７は、嵌合部５Ａの幅に等しい間隔で配置され、各係止片部６は可撓性を有する。レンズ部材５が開口部４ｂに嵌合された状態で第１係合凸部５Ａｂが規制片部７の先端部に接触してレンズ部材５が開口部４ｂに押し込まれるのが規制される。係止片部６の係止爪６ａと嵌合部５Ａとの係合関係でレンズ部材５が開口部４ｂより引き抜かれるのが規制される。【選択図】  図３
2014240896.tif 000002
【特許請求の範囲】
【請求項１】
ケーシングのコーナ部に開口部が形成され、前記開口部にレンズ部材が取り付けられるレンズ部材の取付構造であって、
前記レンズ部材は、照光面を有し前記照光面が外部に露出するように前記開口部に嵌合される嵌合部と、前記嵌合部に連接され前記照光面に光を導光する導光部とを備え、前記嵌合部が前記導光部よりも幅広に形成され、さらに、前記レンズ部材の嵌合部両側面に第１係合凸部が形成され、
前記ケーシングは、前記開口部を挟んで前記開口部の両側に設けられ前記嵌合部を係止可能である係止爪を有する１対の係止片部と、前記各係止片部とケーシング内壁面との間に設けられる１対の規制片部とを備え、前記１対の係止片部および前記１対の規制片部は、前記嵌合部の幅に等しい間隔で配置され、前記各係止片部は可撓性を有するものであり、
前記レンズ部材の嵌合部が前記開口部に嵌合された状態で、前記第１係合凸部が前記規制片部の先端部に接触して前記第１係合凸部と前記規制片部との係合関係で前記レンズ部材が前記開口部に押し込まれるのが規制される一方、前記係止片部の係止爪と前記嵌合部との係合関係で前記レンズ部材が前記開口部より引き抜かれるのが規制される構成であることを特徴とするレンズ部材の取付構造。
【請求項２】
前記レンズ部材の嵌合部両側面に、前記第１係合凸部より高さが低く前記規制片部の対向側面に先端が接触する第２係合凸部が、前記第１係合凸部より前記照光面側に設けられている、請求項１記載のレンズ部材の取付構造。
【請求項３】
前記１対の係止片部を挟んで、前記１対の規制片部がある側とは反対側に間隔を存して１対の案内片部が平行に設けられており、前記１対の案内片部が前記導光部の幅に等しい間隔で配置され、
前記嵌合部は、前記案内片部に対応して形成された湾曲凸面を有し、
前記嵌合部の湾曲凸面と前記案内片部の端縁との係合関係で前記レンズ部材を、前記開口部側へ案内する構成とされている、請求項１または２記載のレンズ部材の取付構造。
【請求項４】
前記レンズ部材は、前記嵌合部が切り欠き部を挟んで導光部に連接されたものであり、
前記切り欠き部は、前記規制片部の規制爪が係合する面部を含む、請求項１〜３のいずれか１つに記載のレンズ部材の取付構造。
【請求項５】
前記開口部は、前記コーナー部を形成する、隣り合う２つの面部に跨って形成されている、請求項１〜４のいずれか１つに記載のレンズ部材の取付構造。
【発明の詳細な説明】
【技術分野】
【０００１】
本発明は、ケーシングに取り付けられるレンズ部材の取付構造に関する。
【背景技術】
【０００２】
従来より、電子機器の機器ケーシングに開口部を形成し、この開口部にレンズ部材の一端部を嵌め込んで取り付け、他端部に機器ケーシングに内蔵される光源を臨ませるようにしたものが知られている。
【０００３】
そのようなものでは、レンズ部材を光源と開口部との位置関係に応じた形状としなければならないため、そのレンズ部材をケーシングに取り付ける際に取付位置や取付角度などを適切にするなどの位置決めが困難である。
【０００４】
そこで、そのような構造において、レンズをケース本体に取り付ける際の位置決めを容易ならしめるレンズの取付構造が提案されている（例えば、特許文献１参照）。
【０００５】
前記特許文献１記載の技術では、レンズの板状部を、ケース本体内のガイド部に形成されたスリットを通して特定方向にスライドさせることで、ケース本体にレンズを取り付けることができるようになっている。
【先行技術文献】
【特許文献】
【０００６】
【特許文献１】特開２００８−８９７８０号公報
【発明の概要】
【発明が解決しようとする課題】
【０００７】
前記特許文献１記載の技術では、レンズの板状部を、ガイド部のスリットを通して特定方向にスライドさせ、保持させているだけであるので、振動などにより引き抜き方向に移動する可能性もあり、レンズの取り付けが不安定である。
【０００８】
本発明は、取り付けが容易で、取り付けが安定しているレンズ部材の取付構造を提供することを目的とする。
【課題を解決するための手段】
【０００９】
請求項１の発明は、ケーシングのコーナ部に開口部が形成され、前記開口部にレンズ部材が取り付けられるレンズ部材の取付構造であって、前記レンズ部材は、照光面を有し前記照光面が外部に露出するように前記開口部に嵌合される嵌合部と、前記嵌合部に連接され前記照光面に光を導光する導光部とを備え、前記嵌合部が前記導光部よりも幅広に形成され、さらに、前記レンズ部材の嵌合部両側面に第１係合凸部が形成され、前記ケーシングは、前記開口部を挟んで前記開口部の両側に設けられ前記嵌合部を係止可能である係止爪を有する１対の係止片部と、前記各係止片部とケーシング内壁面との間に設けられる１対の規制片部とを備え、前記１対の係止片部および前記１対の規制片部は、前記嵌合部の幅に等しい間隔で配置され、前記各係止片部は可撓性を有するものであり、前記レンズ部材の嵌合部が前記開口部に嵌合された状態で、前記第１係合凸部が前記規制片部の先端部に接触して前記第１係合凸部と前記規制片部との係合関係で前記レンズ部材が前記開口部に押し込まれるのが規制される一方、前記係止片部の係止爪と前記嵌合部との係合関係で前記レンズ部材が前記開口部より引き抜かれるのが規制される構成であることを特徴とする。
【００１０】
このようにすれば、レンズ部材を機器ケーシングの開口部に対し押し込むことにより取り付けることができるので、レンズ部材の取り付けが容易である。また、前記第１係合凸部と前記規制片部との係合関係で前記レンズ部材が前記開口部に押し込まれるのが規制され、前記係止片部の係止爪と前記嵌合部との係合関係で前記レンズ部材が前記開口部より引き抜かれるのが規制され、レンズ部材が取り付け状態では移動しにくいので、機器ケーシングへのレンズ部材の取り付けが安定している。
【００１１】
請求項２に記載のように、前記レンズ部材の嵌合部両側面に、前記第１係合凸部より高さが低く前記規制片部の対向側面に先端が接触する第２係合凸部が、前記第１係合凸部より前記照光面側に設けられている、ことが望ましい。
【００１２】
このようにすれば、嵌合部両側面の第２係合凸部が規制片部の対向側面に接触することで、嵌合部側両側から挟まれた状態でレンズ部材が支持されることとなり、取り付け状態で機器ケーシングに対しレンズ部材がガタつくのが防止される。
【００１３】
請求項３に記載のように、前記１対の係止片部を挟んで、前記１対の規制片部がある側とは反対側に間隔を存して１対の案内片部が平行に設けられており、前記１対の案内片部が前記導光部の幅に等しい間隔で配置され、前記嵌合部は、前記案内片部に対応して形成された湾曲凸面を有し、前記嵌合部の湾曲凸面と前記案内片部の端縁との係合関係で前記レンズ部材を、前記開口部側へ案内する構成とされている、ことが望ましい。
【００１４】
このようにすれば、レンズ部材を機器ケーシングに取り付ける際に、前記嵌合部の湾曲凸面と前記案内片部の端縁との係合関係で前記レンズ部材を、前記開口部側へ案内するので、取り付けがより容易となる。
【００１５】
請求項４に記載のように、前記レンズ部材は、前記嵌合部が切り欠き部を挟んで導光部に連接されたものであり、前記切り欠き部は、前記係止片部の係止爪が係止可能である面部を含む、構成とすることができる。
【００１６】
このようにすれば、切り欠き部を利用して、前記係止片部の係止爪と前記嵌合部との係合関係で前記レンズ部材が前記開口部より引き抜かれるのが規制される構成を容易に実現できる。
【００１７】
請求項５に記載のように、前記開口部は、前記コーナー部を形成する、隣り合う２つの面部に跨って形成されている、構成とすることができる。
【００１８】
このようにすれば、照光面を視認できる範囲を広くすることができる。
【発明の効果】
【００１９】
本発明は、上記のように構成したから、レンズ部材を機器ケーシングに容易に取り付けることができるだけでなく、レンズ部材側の第１係合凸部と機器ケーシング側の規制片部との係合関係と、機器ケーシング側の前記係止片部の係止爪とレンズ部材側の嵌合部との係合関係とを利用して、機器ケーシングへのレンズ部材の取り付けを安定させることもできる。
【図面の簡単な説明】
【００２０】
【図１】本発明に係るレンズ部材の取付構造が適用された電子機器を示し、（ａ）は平面図、（ｂ）は前面図である。
【図２】（ａ）は図１（ｂ）のＡ−Ａ線断面図、（ｂ）は図２（ａ）のＣ部拡大図である。
【図３】（ａ）は図１（ｂ）のＢ−Ｂ線断面図、（ｂ）は図２（ａ）のＤ部拡大図である。
【図４】レンズ部材を示し、（ａ）は後方から見た斜視図、（ｂ）は左側面図、（ｃ）は正面図，（ｄ）は右側面図、（ｅ）は平面図である。
【図５】（ａ）はレンズ部材が取り付けられた状態をケーシング内側から見た図、（ｂ）は図５（ａ）のＥ−Ｅ線断面図、（ｃ）は図５（ａ）のＦ−Ｆ線断面図、（ｄ）は図５（ａ）のＧ−Ｇ線断面図、（ｅ）は図５（ａ）のＨ−Ｈ線断面図、（ｆ）は図５（ａ）のＩ−Ｉ線断面図である。
【図６】（ａ）はレンズ部材を取り付ける前の状態をケーシング内側から見た図、（ｂ）は図６（ａ）のＪ−Ｊ線断面図、（ｃ）は図６（ａ）のＫ−Ｋ線断面図、（ｄ）は図６（ａ）のＬ−Ｌ線断面図、（ｅ）は図６（ａ）のＭ−Ｍ線断面図である。
【図７】（ａ）（ｂ）はレンズ品を機器ケーシングの開口部に取り付ける作業の説明図である。
【発明を実施するための形態】
【００２１】
以下、本発明の実施の形態を図面に沿って説明する。
【００２２】
図１は本発明に係るレンズ部材の取付構造が適用された電子機器を示し、（ａ）は平面図、（ｂ）は前面図である。
【００２３】
図１に示すように、電子機器（例えば、デジタル伝送受装置の受信端末）１は、直方体形状の機器本体２を備える。機器本体２は、直方体形状の機器ケーシング４の内部に各種必要部品（図示省略）が収納されている。
【００２４】
この機器ケーシング４は、前後面部４Ａ，４Ｂ、上下面部４Ｃ，４Ｄおよび左右側面部４Ｅ，４Ｆを有する略直方体形状で、複数の部分に分割可能な構造である。そして、機器ケーシング４を前側から見て、隣り合う、前面部４Ａと上面部４Ｃとによって形成されるコーナ部４ａに、開口部４ｂが両面部４Ａ，４Ｃ間に跨って形成され、この開口部４ｂに対しレンズ部材（導光部品）５が取り付けられている。
【００２５】
このレンズ部材５は、図２（ａ）（ｂ）および図５（ａ）〜（ｆ）に示すように、開口部４ｂに嵌合される嵌合部５Ａと、この嵌合部５Ａに連接され嵌合部５Ａに光を導光する導光部５Ｂとを備える。この嵌合部５Ａが開口部４ｂに嵌合されることで、照光面５Ａａが外部に露出するようになっている。そして、機器ケーシング４内の基板１２に設けられた光源（ＬＥＤ）１３からの光が導光部５Ｂを通じて嵌合部５Ａに導かれ、照光面５Ａａを通じて照光するようになっている。レンズ部材５の嵌合部５Ａは、導光部５Ｂよりも幅広に形成され、嵌合部５Ａは切り欠き部５Ｃを挟んで導光部５Ｂに連接されている。
【００２６】
機器ケーシング４の上面部４Ｃの内壁面には、図３（ａ）（ｂ）および図６（ａ）〜（ｅ）に示すように、開口部４ｂに挟んで開口部４ｂの両側に、１対の係止片部６が設けられている。この係止片部６は、先端部分に、嵌合部５Ａを係止可能である係止爪６ａを有する（図６（ｄ）参照）。
【００２７】
また、各係止片部６とケーシング内壁面との間に、上面部４Ｃの内壁面から前面部４Ａの内壁面にかけて、係止片部６より高さが低い規制片部７がそれぞれ設けられている。なお、係止片部６および規制片部７は、いずれも嵌合部５Ａの幅に等しい間隔で開口部４ｂを挟んでそれの両側に設けられ、係止片部６は可撓性を有する。
【００２８】
機器ケーシング４の上面部４Ｃの内壁面には、さらに、１対の係止片部６を挟んで、１対の規制片部７がある側とは反対側に間隔を存して１対の案内片部８が平行に設けられている。この案内片部８の間隔は導光部５Ｂの幅に等しく、案内片部８の間隔は、係止片部６や規制片部７の間隔よりも狭くなっている。なお、案内片部８の先端部（対向面側）には、嵌合部３Ａを案内片部８の間に案内するテーパ面８ａとされている（図６（ｅ）参照）。
【００２９】
レンズ部材５は、図４（ａ）〜（ｅ）に詳細を示すように構成されている。つまり、嵌合部５Ａは、幅方向の両側面に第１係合凸部５Ａｂが形成されている。この第１係合凸部５Ａｂは、開口部４ｂに嵌合部５Ａが嵌合された状態で、規制片部７の先端部に接触して第１係合凸部５Ａｂと規制片部７との係合関係でレンズ部材５（嵌合部５Ａ）が開口部４ｂ内にそれ以上押し込まれるのが規制される構成とされている。
【００３０】
また、嵌合部５Ａの、幅方向の両側面には、第１係合凸部５Ａｂより高さ（嵌合部５ａの側面に直交する方向についての突出量）が低くレンズ部材５の取り付け状態（嵌合部５Ａの嵌合状態）で規制片部７の対向側面に先端が接触する第２係合凸部５Ａｃが、第１係合凸部５Ａｂより照光面側に設けられている。これにより、嵌合部５Ａの両側面の第２係合凸部５Ａｃが規制片部７の対向側面に接触し、レンズ部材５が機器ケーシング４に対しガタつくのが防止される。
【００３１】
嵌合部５Ａは、一定幅を有し中心側が矩形状に切り欠かれた１/４円柱体形状で、外周面が照光面５Ａａとなっている。つまり、嵌合部５Ａは、矩形状に切り欠かれた切り欠き部５Ｃを挟んで導光部５Ｂに連接されている。そして、嵌合部５Ａの、半径方向に延びる一方の端面が平坦面５Ａｄで、その平坦面５Ａｄの幅方向両側縁から平坦面５Ａｄに直交する方向に第１係合凸部５Ａｂが延び、さらにその先に第２係合凸部５Ａｃが延びている。この平坦面５Ａｄが、嵌合部５Ａが開口部４ｂに嵌合した際に、開口部４ｂの端縁に接触することになる（図２（ａ）（ｂ）参照）。他方の端面は、案内片部８に対応して形成された湾曲凸面５Ａｅとなっており、その湾曲凸面５Ａｅは嵌合部３Ａの幅を直径とする断面半円弧状である。この湾曲凸面５Ａｅも、嵌合部５Ａが開口部４ｂに嵌合した際に、開口部４ｂの端縁に接触することになる（図２（ａ）（ｂ）参照）。
【００３２】
切り欠き部５Ｃは、平坦面５Ａｄに平行な第１面５Ｃａと、この第１面５Ｃａに直交し湾曲凸面５Ａｅの稜線と平行である第２面５Ｃｂとを有する。そして、この第１面５Ｃａに係止片部６の係止爪６ａが係合して嵌合部５Ａを係止し、係止片部６の係止爪６ａと嵌合部５Ａ（第１面５Ｃａ）との係合関係でレンズ部材５が開口部４ｂより引き抜かれるのを規制するようになっている（図５（ｅ）参照）。
【００３３】
そして、嵌合部５Ａの湾曲凸面５Ａｅと１対の案内片部８の端縁との係合関係で、レンズ部材５を開口部４ｂに押し込む際、レンズ部材５を、１対の案内片部８の間隔が狭いことから、開口部４ｂ側へ押し出すように案内するようになっている。
【００３４】
前記実施の形態では、案内片部８を設けて嵌合部３Ａが所定方向に案内されるようにしているが、本発明はそれに制限されるものではなく、それらを省略して、手作業で調整しながら、レンズ部材５を取り付けることができるにのはもちろんである。
【００３５】
また、電子機器の機器ケーシングに限らず、レンズ部材を取り付けるケーシングであれば、同様に適用することができる。
【符号の説明】
【００３６】
１  電子機器
２  電子機器本体
４  機器ケーシング
４Ａ  前面部
４Ｂ  後面部
４Ｃ  上面部
４Ｄ  下面部
４Ｅ  左側面部
４Ｆ  右側面部
４ａ  コーナ部
４ｂ  開口部
５  レンズ部材
５Ａ  嵌合部
５Ａａ  照光面
５Ａｂ  第１係合凸部
５Ａｃ  第２係合凸部
５Ａｄ  平坦面
５Ａｅ  湾曲凸面
５Ｂ  導光部
５Ｃ  切り欠き部
５Ｃａ  第１面
５Ｃｂ  第２面
６  係止片部
６ａ  係止爪
７  規制片部
８  案内片部
８ａ  テーパ面
１２  基板
１３  光源
【図１】
2014240896.tif 000003
【図２】
2014240896.tif 000004
【図３】
2014240896.tif 000005
【図４】
2014240896.tif 000006
【図５】
2014240896.tif 000007
【図６】
2014240896.tif 000008
【図７】
2014240896.tif 000009